(57)【要約】【課題】電力使用量の制限期間中に管轄範囲内の複数台の画像形成装置で保留にされた印刷ジョブを、制限を解除する際に、一斉起動によって電力不足が生じないように実行させる印刷管理装置を提供する。【解決手段】管轄範囲の電力使用量に基づいて管理下の複数台の画像形成装置での印刷を禁止する印刷禁止状態の設定および解除を判定する電力管理部と、印刷禁止状態が設定されている場合に、複数台の画像形成装置での印刷ジョブの実行を保留にさせる印刷禁止指示部と、印刷禁止状態が解除される際に、保留にされた印刷ジョブを有する画像形成装置を所定の順に交代で起動して、保留にされた印刷ジョブを実行させる起動管理部とを有する。【選択図】図３
2014085825.tif 000002
【特許請求の範囲】
【請求項１】
所定の管轄範囲の電力使用量に基づいて、管理下の複数台の画像形成装置での印刷を禁止する印刷禁止状態の設定および解除を判定する電力管理部と、
前記印刷禁止状態が設定されている場合に、前記複数台の画像形成装置での印刷ジョブの実行を保留にさせる印刷禁止指示部と、
前記印刷禁止状態が解除される際に、前記保留にされた印刷ジョブを有する画像形成装置を所定の順に交代で起動して、前記保留にされた印刷ジョブを実行させる起動管理部と、
を有する
ことを特徴とする印刷管理装置。
【請求項２】
前記印刷禁止指示部は、前記画像形成装置に、前記印刷禁止状態で受け付けた印刷ジョブをＲＩＰ処理させ、それによって得たラスターイメージデータを保存させる
ことを特徴とする請求項１に記載の印刷管理装置。
【請求項３】
前記印刷禁止指示部は、前記印刷禁止状態において前記画像形成装置を省電力モードに移行させ、
前記起動管理部は、起動した画像形成装置を、その画像形成装置に保留にされているすべての印刷ジョブの実行が完了した後に、再び前記省電力モードへ移行させる
ことを特徴とする請求項１または２に記載の印刷管理装置。
【請求項４】
前記保留にされた印刷ジョブを有する画像形成装置を所定の基準で優先順位付けする優先順位付与部をさらに備え、
前記所定の順序は、前記優先順位付与部で付与された優先順位の高い順である
ことを特徴とする請求項１乃至３のいずれか１つに記載の印刷管理装置。
【請求項５】
前記優先順位付与部は、各画像形成装置で保留にされている印刷ジョブに基づく優先度と、各画像形成装置の消費電力に基づく優先度とから前記優先順位を決定する
ことを特徴とする請求項４に記載の印刷管理装置。
【請求項６】
前記優先順位付与部は、各画像形成装置で保留にされている印刷ジョブに係る印刷量を加味して前記優先順位を決定する
ことを特徴とする請求項４または５に記載の印刷管理装置。
【請求項７】
前記優先順位付与部は、各画像形成装置で保留にされている印刷ジョブの受け付けからの経過時間を加味して前記優先順位を決定する
ことを特徴とする請求項４乃至６のいずれか１つに記載の印刷管理装置。
【請求項８】
前記優先順位付与部は、各画像形成装置で保留されている印刷ジョブにおいて特定の機能が設定されているか否かを加味して前記優先順位を決定する
ことを特徴とする請求項４乃至７のいずれか１つに記載の印刷管理装置。
【請求項９】
前記優先順位付与部は、各画像形成装置の消費電力の大小を加味して前記優先順位を決定する
ことを特徴とする請求項４乃至８のいずれか１つに記載の印刷管理装置。
【請求項１０】
前記電力管理部は、起動している第１の画像形成装置で、次に起動する第２の画像形成装置に保留されているすべての印刷ジョブを実行可能な場合に、前記第２の画像形成装置に保留されているすべての印刷ジョブを前記第１の画像形成装置へ転送させて、これらの印刷ジョブを前記第１の画像形成装置に実行させる
ことを特徴とする請求項１乃至９のいずれか１つに記載の印刷管理装置。
【請求項１１】
前記電力管理部は、前記管轄範囲の電力使用量と、前記管轄範囲で使用可能な電力量の許容値との比較に基づいて、前記印刷禁止状態か否かを判断する
ことを特徴とする請求項１乃至１０のいずれか１つに記載の印刷管理装置。
【請求項１２】
前記電力管理部は、前記許容値の設定変更を受け付ける
ことを特徴とする請求項１１に記載の印刷管理装置。
【請求項１３】
前記電力管理部は、所定の情報源から前記管轄範囲で使用可能な電力の総量を示す電力使用可能総量情報を取得し、前記電力使用可能総量情報の示す電力量に、設定された使用可能割合を乗じた値を、前記許容値とする
ことを特徴とする請求項１１または１２に記載の印刷管理装置。
【請求項１４】
請求項１乃至１３のいずれか１つに記載の印刷管理装置と、
この印刷管理装置に管理される複数台の画像形成装置とを備え、
前記画像形成装置は、前記印刷禁止状態において受け付けた印刷ジョブの実行を保留にし、前記印刷管理装置から起動されたとき、前記保留にした印刷ジョブを実行する
ことを特徴とする印刷システム。
【発明の詳細な説明】
【技術分野】
【０００１】
本発明は、電力使用量の制限期間中に各画像形成装置での印刷を禁止する印刷管理装置および印刷システムに関する。
【背景技術】
【０００２】
近年、過大な電力使用による広範囲での停電を回避するために、電力使用量がピークになる時間帯にプリンタや複写機などの画像形成装置の使用を規制する技術がある。たとえば、特許文献１には、複数のプリンタの総消費電力を計測し、その総消費電力と、全プリンタにおいて使用可能な総電力量とに基づいて、対象のプリンタは起動可能か否かを判断し、起動不可の場合にジョブの受け付けを拒否する技術が開示されている（特許文献１）。
【０００３】
上記の技術では、電力使用量がピークの時間帯にユーザが印刷ジョブを投入しても、実行不可能である旨の応答しかない。そのため、印刷ジョブを実行させるためには、ユーザ自身が、電力使用量がピークの時間帯を避けて、印刷ジョブを投入しなければならない。
【０００４】
特許文献２には、省電力モード中に指示された印刷ジョブをホールドしておき、省電力モードから通常電力モードに復帰した際に、ホールドされている印刷ジョブをまとめて実行する技術が開示されている。
【先行技術文献】
【特許文献】
【０００５】
【特許文献１】特開２００８−１６７５４４号公報
【特許文献２】特開２０１１−２０２６７号公報
【発明の概要】
【発明が解決しようとする課題】
【０００６】
特許文献２に開示の技術を電力使用量がピークの時間帯に適用すれば、電力使用量がピークの時間帯に受け付けた印刷ジョブはホールドしておき、電力使用量がピークの時間帯を抜け出たとき、ホールドされている印刷ジョブをまとめて実行する画像形成装置を得ることができる。しかし、大きなオフィスなど、電力の使用量を管理すべき管轄範囲内に、複数台の画像形成装置が存在する環境において上記の技術を適用すると、電力使用量がピークの時間帯を抜け出たとき、管轄範囲内にあるすべての画像形成装置が一斉に起動して印刷を開始するので、途端に電力使用量が上限を超えて、電力不足に陥る恐れがある。
【０００７】
本発明は、上記の問題を解決しようとするものであり、電力使用量の制限期間中に管轄範囲内の複数台の画像形成装置で保留にされた印刷ジョブを、制限を解除する際に、一斉起動によって電力不足が生じないように実行させることのできる印刷管理装置および印刷システムを提供することを目的としている。
【課題を解決するための手段】
【０００８】
かかる目的を達成するための本発明の要旨とするところは、次の各項の発明に存する。
【０００９】
［１］所定の管轄範囲の電力使用量に基づいて、管理下の複数台の画像形成装置での印刷を禁止する印刷禁止状態の設定および解除を判定する電力管理部と、
前記印刷禁止状態が設定されている場合に、前記複数台の画像形成装置での印刷ジョブの実行を保留にさせる印刷禁止指示部と、
前記印刷禁止状態が解除される際に、前記保留にされた印刷ジョブを有する画像形成装置を所定の順に交代で起動して、前記保留にされた印刷ジョブを実行させる起動管理部と、
を有する
ことを特徴とする印刷管理装置。
【００１０】
上記発明では、管轄範囲の電力使用量が多い間は、管理下の複数台の画像形成装置での印刷が禁止され、その間に受け付けた印刷ジョブは自動的に保留にされる。印刷禁止が解除される際には、保留にされた印刷ジョブが複数台の画像形成装置で一斉に実行されて再び電力不足に陥ることがないように、保留されたジョブを有する画像形成装置を所定の順に交代で起動して印刷を実行させる。
【００１１】
［２］前記印刷禁止指示部は、前記画像形成装置に、前記印刷禁止状態で受け付けた印刷ジョブをＲＩＰ処理させ、それによって得たラスターイメージデータを保存させる
ことを特徴とする［１］に記載の印刷管理装置。
【００１２】
上記発明では、各画像形成装置は、印刷禁止状態で印刷ジョブを受け付けたとき、ＲＩＰ（Raster image processor）処理して保存する段階まで実行する。これにより、印刷禁止状態が解除されたとき、印刷を直ちに開始することができる。
【００１３】
［３］前記印刷禁止指示部は、前記印刷禁止状態において前記画像形成装置を省電力モードに移行させ、
前記起動管理部は、起動した画像形成装置を、その画像形成装置に保留にされているすべての印刷ジョブの実行が完了した後に、再び前記省電力モードへ移行させる
ことを特徴とする［１］または［２］に記載の印刷管理装置。
【００１４】
上記発明では、画像形成装置は、印刷禁止状態において省電力モードに移行する。印刷禁止状態が解除される際に起動された画像形成装置は、省電力モードから復帰して保留されている印刷ジョブを実行し、すべての印刷が完了すると、再び省電力モードへ移行する。これにより、同時に起動している画像形成装置の台数が少なくなり、管轄範囲での電力使用量を抑えることができる。
【００１５】
［４］前記保留にされた印刷ジョブを有する画像形成装置を所定の基準で優先順位付けする優先順位付与部をさらに備え、
前記所定の順序は、前記優先順位付与部で付与された優先順位の高い順である
ことを特徴とする［１］乃至［３］のいずれか１つに記載の印刷管理装置。
【００１６】
上記発明では、保留された印刷ジョブを有する画像形成装置を、優先順位に基づく適切な順序で起動することができる。優先順位付けの基準は、保留にされているジョブの数や内容、画像形成装置の消費電力や能力、配置など、任意でよい。
【００１７】
［５］前記優先順位付与部は、各画像形成装置で保留にされている印刷ジョブに基づく優先度と、各画像形成装置の消費電力に基づく優先度とから前記優先順位を決定する
ことを特徴とする［４］に記載の印刷管理装置。
【００１８】
上記発明では、保留にされている印刷ジョブに基づく優先度と、画像形成装置の消費電力に基づく優先度の双方を勘案して、画像形成装置の起動順に係る優先順位が決定される。
【００１９】
［６］前記優先順位付与部は、各画像形成装置で保留にされている印刷ジョブに係る印刷量を加味して前記優先順位を決定する
ことを特徴とする［４］または［５］に記載の印刷管理装置。
【００２０】
上記発明では、保留にされている印刷ジョブに係る印刷量が多い画像形成装置ほど、優先順位を高くする。
【００２１】
［７］前記優先順位付与部は、各画像形成装置で保留にされている印刷ジョブの受け付けからの経過時間を加味して前記優先順位を決定する
ことを特徴とする［４］乃至［６］のいずれか１つに記載の印刷管理装置。
【００２２】
上記発明では、保留にしている印刷ジョブを受け付けてからの経過時間（印刷待ち時間）が長い画像形成装置ほど、優先順位を高くする。
【００２３】
［８］前記優先順位付与部は、各画像形成装置で保留されている印刷ジョブにおいて特定の機能が設定されているか否かを加味して前記優先順位を決定する
ことを特徴とする［４］乃至［７］のいずれか１つに記載の印刷管理装置。
【００２４】
上記発明では、特定の機能の設定された印刷ジョブを保留にしている画像形成装置は、優先順位を高くする。特定の機能は、一部の画像形成装置でしか実行できない機能である。
【００２５】
［９］前記優先順位付与部は、各画像形成装置の消費電力の大小を加味して前記優先順位を決定する
ことを特徴とする［４］乃至［８］のいずれか１つに記載の印刷管理装置。
【００２６】
上記発明では、たとえば、消費電力の少ない画像形成装置は優先順位を高く、消費電力の多い画像形成装置は優先順位を低くする。対象とする消費電力は、たとえば、省電力モードから印刷可能な通常状態へ復帰するために必要な消費電力、あるいは、所定サイズの記録紙１枚を印刷するために必要な消費電力などとすることができる。
【００２７】
［１０］前記電力管理部は、起動している第１の画像形成装置で、次に起動する第２の画像形成装置に保留されているすべての印刷ジョブを実行可能な場合に、前記第２の画像形成装置に保留されているすべての印刷ジョブを前記第１の画像形成装置へ転送させて、これらの印刷ジョブを前記第１の画像形成装置に実行させる
ことを特徴とする［１］乃至［９］のいずれか１つに記載の印刷管理装置。
【００２８】
上記発明では、既に起動している第１の画像形成装置で、次に起動すべき第２の画像形成装置で保留にされているすべての印刷ジョブを実行可能ならば、それらの印刷ジョブを第２の画像形成装置から第１の画像形成装置へ転送し、第１の画像形成装置で実行する。これにより、第２の画像形成装置の起動を回避でき、起動に要する電力消費を節減することができる。
【００２９】
［１１］前記電力管理部は、前記管轄範囲の電力使用量と、前記管轄範囲で使用可能な電力量の許容値との比較に基づいて、前記印刷禁止状態か否かを判断する
ことを特徴とする［１］乃至［１０］のいずれか１つに記載の印刷管理装置。
【００３０】
［１２］前記電力管理部は、前記許容値の設定変更を受け付ける
ことを特徴とする［１１］に記載の印刷管理装置。
【００３１】
［１３］前記電力管理部は、所定の情報源から前記管轄範囲で使用可能な電力の総量を示す電力使用可能総量情報を取得し、前記電力使用可能総量情報の示す電力量に、設定された使用可能割合を乗じた値を、前記許容値とする
ことを特徴とする［１１］または［１２］に記載の印刷管理装置。
【００３２】
上記発明では、電力会社のWebページ等で公表されている電力使用量や、企業内のWebページ等の情報源から電力使用可能総量情報を取得し、この値から管轄範囲で使用可能な電力量の許容値を導出する。
【００３３】
［１４］［１］乃至［１３］のいずれか１つに記載の印刷管理装置と、
この印刷管理装置に管理される複数台の画像形成装置とを備え、
前記画像形成装置は、前記印刷禁止状態において受け付けた印刷ジョブの実行を保留にし、前記印刷管理装置から起動されたとき、前記保留にした印刷ジョブを実行する
ことを特徴とする印刷システム。
【発明の効果】
【００３４】
本発明に係る印刷管理装置および印刷システムによれば、電力使用量の制限期間中は管轄範囲内の複数台の画像形成装置での印刷出力を禁止させてジョブを保留にさせると共に、印刷禁止を解除するときは、保留されているジョブを、複数台の画像形成装置を交代で順に起動して実行させるので、複数台の画像形成装置が一斉に起動して電力不足に陥ることが防止される。
【図面の簡単な説明】
【００３５】
【図１】本発明の実施の形態に係る印刷システムを示す説明図である。
【図２】ＰＣ端末の概略構成を示すブロック図である。
【図３】電力管理サーバの概略構成を示すブロック図である。
【図４】画像形成装置の概略構成を示すブロック図である。
【図５】印刷ジョブをＰＣ端末から受信したときの画像形成装置の動作を示す流れ図である。
【図６】電力管理サーバから各種の指示を受信した場合の画像形成装置の動作を示す流れ図である。
【図７】電力管理サーバの動作を示す流れ図である。
【図８】図８は、図７のステップＳ３０７（優先順位決定処理）の詳細を示す流れ図である。
【図９】ジョブポイント処理（図８；ステップＳ４０１）の詳細を示す流れ図である。
【図１０】エンジンポイント処理（図８；ステップＳ４０２）の詳細を示す流れ図である。
【図１１】配置エリアの例を示す図である。
【図１２】優先順位リストの例を示す図である。
【図１３】優先順位補正処理（図８；ステップＳ４０４）の詳細を示す流れ図である。
【発明を実施するための形態】
【００３６】
以下、図面に基づき本発明の実施の形態を説明する。
【００３７】
図１は、本発明の実施の形態に係る印刷システム５を示している。印刷システム５は、ＬＡＮ（Local Area Network）３を通じて、複数の画像形成装置１０（１０Ａ〜１０Ｅ）と、複数のＰＣ（Personal Computer）端末４０と、電力管理サーバ６０とを通信可能に接続して構成される。
【００３８】
画像形成装置１０Ａは、原稿を光学的に読み取ってその複製画像を記録紙に印刷するコピージョブ、読み取った原稿の画像データをファイルにして保存したり外部装置へ送信したりするスキャンジョブ、ＰＣ端末４０から送出されたデータに係る画像を記録紙に印刷して出力する印刷ジョブなどのジョブを実行する機能を備えた、所謂、複合機である。また、画像形成装置１０Ａは、印刷ジョブの内容によって、印刷後の記録紙に、パンチやステープル等の後処理を行うこともできる。
【００３９】
画像形成装置１０Ｂ、画像形成装置１０Ｃは小型のプリンタ、画像形成装置１０Ｄ、１０Ｅは小型の複合機である。いずれもＰＣ端末４０から受信した印刷ジョブに基づいて印刷を行う機能を備えている。以後、画像形成装置１０Ａ〜１０Ｅを総称する、もしくは任意の１台を指す場合は、画像形成装置１０と記すものとする。印刷システム５に属する画像形成装置１０は、複数台であればよく、その台数は、図１の例示に限らず、任意でよい。また、画像形成装置１０をＭＦＰと記載する場合がある。
【００４０】
ＰＣ端末４０は、印刷システム５に含まれる画像形成装置１０に対して印刷ジョブを送信する。
【００４１】
電力管理サーバ６０は、予め決められた情報源から、使用可能な電力量を示す電力使用可能総量情報を取得する。情報源は、たとえば、電力会社のWebページや企業内情報掲示板等であるが、これに限定されるものではない。また、取得した電力使用可能総量と予め設定された使用可能割合とを演算して、管轄範囲での使用可能電力量を決定する。さらに、予め定めた管轄範囲に設置されている電力使用機器（印刷に関連しない機器を含む）での実測された電力使用量を集計する。たとえば、管轄範囲の照明、エアコン、テレビなどの電力使用量が集計される。なお、図１に示す印刷システム５も管轄範囲に設置されている電力使用機器の１つである。電力使用量の集計対象には印刷システム５も含まれる。ただし、含めない構成としてもよい。
【００４２】
電力管理サーバ６０は、使用可能電力量と、集計した電力使用量とを比較し、電力使用量が使用可能電力量を超える場合は、印刷システム５の各画像形成装置１０での印刷出力を禁止する。各画像形成装置１０は、印刷が禁止されている状態（印刷禁止状態）でＰＣ端末４０から印刷ジョブを受信した場合は、受信した印刷ジョブをＲＩＰ処理し、該ＲＩＰ処理によって得たラスターイメージデータを蓄積、保存し、印刷出力は保留にする。電力管理サーバ６０は、印刷禁止状態を解除する際に、保留にされた印刷ジョブ（以後、保留ジョブとする）を有する画像形成装置１０を所定の基準で優先順位付けし、優先順位の高いものから順に交代で起動して、保留ジョブに係る印刷出力を実行させる。
【００４３】
図２は、ＰＣ端末４０の概略構成図を示す。ＰＣ端末４０は、当該ＰＣ端末４０の動作を制御するＣＰＵ（Central Processing Unit）４１と、このＣＰＵ４１に接続されたＲＯＭ（Read Only Memory）４２と、ＲＡＭ（Random Access Memory）４３と、不揮発メモリ４４と、ハードディスク装置４５と、表示部４６と、操作部４７と、ネットワークＩ／Ｆ部４８とを備えて構成されている。
【００４４】
ＣＰＵ４１はＯＳ（Operating System）プログラムをベースとし、その上で、ミドルウェアやアプリケーションプログラムなどが実行される。ＲＯＭ４２には各種のプログラムが格納されており、これらのプログラムに従ってＣＰＵ４１が処理を実行することで、ジョブの送信などＰＣ端末４０の各機能が実現される。ＲＡＭ４３はＣＰＵ４１がプログラムを実行する際に各種のデータを一時的に格納するワークメモリなどとして使用される。
【００４５】
不揮発メモリ４４は、電源がオフにされても記憶が保持できる書き換え可能なメモリ（フラッシュメモリ）である。不揮発メモリ４４には、端末固有の情報や各種の設定情報などが記憶される。ハードディスク装置４５は、大容量の不揮発の記憶装置であり、ＯＳプログラムや各種アプリケーションプログラム、ジョブに係る情報履歴、などが保存される。
【００４６】
表示部４６は、液晶ディスプレイ（ＬＣＤ…Liquid Crystal Display）などで構成されており、各種の操作、設定に係る内容を表示する機能を果たす。操作部４７は、ユーザからのジョブの投入や設定の変更など、各種の操作を受け付ける機能を果たす。操作部４７は、キーボードやマウスなどを備えて構成される。
【００４７】
ネットワークＩ/Ｆ部４８は、ＬＡＮ３などのネットワークを通じて接続されている他の外部装置などと通信を行う。ジョブの送信はネットワークＩ/Ｆ部４８を通じて行う。
【００４８】
図３は、電力管理サーバ６０の概略構成図を示す。電力管理サーバ６０は、ＣＰＵを含む制御部６１と、ＲＯＭ６２と、ＲＡＭ６３と、記憶部６４と、ネットワークＩ/Ｆ部６５とを備えて構成されている。電力管理サーバ６０の制御部６１は、電力使用可能総量情報取得部６６と、使用電力量測定部６７と、電力管理部６８と、印刷禁止指示部６９と、優先順位付与部７０と、起動管理部７１としての機能を果たす。
【００４９】
ＲＯＭ６２には各種のプログラムが格納されており、これらのプログラムに従って制御部６１が処理を実行することで、電力管理サーバ６０の各機能が実現される。ＲＡＭ６３は制御部６１がプログラムを実行する際に各種のデータを一時的に格納するワークメモリなどとして使用される。
【００５０】
記憶部６４は、大容量の不揮発の記憶装置であり、印刷システム５の各画像形成装置１０の消費電力情報（立ち上げ時の消費電力、所定サイズの記録紙（たとえば、Ａ４）１枚を印刷するために必要な消費電力など）、電力管理サーバ６０に固有の情報や各種の設定情報、取得した電力使用可能総量情報、使用可能電力量を電力使用可能総量の何パーセントにするかの設定値、などが記憶される。
【００５１】
ネットワークＩ/Ｆ部６５は、ＬＡＮ３などのネットワークを通じて接続されている他の外部装置などと通信を行う。
【００５２】
電力使用可能総量情報取得部６６は、予め決められた情報源から、電力使用可能総量情報を取得する。情報源とは、電力会社のWebページや、企業内のWebページ等である。
【００５３】
使用電力量測定部６７は、当該電力管理サーバ６０に係る所定の管轄範囲における電力使用量の実測値を取得する。たとえば、管轄範囲内の各電気機器（印刷システム５以外の電気を使用する機器を含む）に対応させて電力計測機を設置し、各電力計測機の計測値をネットワーク経由で収集して合計し、管轄範囲内の全体の電力使用量を求める。
【００５４】
電力使用可能総量情報の取得や電力使用量の測定は、それぞれ所定の周期で繰り返し行われる。たとえば、電力使用可能総量情報の取得は２時間ごとに、電力使用量の測定は１０分ごとに行われる。周期は設定変更可能になっている。
【００５５】
電力管理部６８は、電力使用可能総量情報取得部６６が取得した電力使用可能総量情報に基づく電力量と、使用電力量測定部６７が取得した実際の電力使用量とを比較して、画像形成装置１０での印刷を禁止する印刷禁止状態を設定するか解除するかを判定する。ここでは、電力使用可能総量情報が示す電力使用可能総量に所定の使用可能割合を乗じて得た使用可能電力（許容値）を電力使用量が超えたとき、印刷禁止状態に設定すると判定し、電力使用量が使用可能電力以下になったとき、印刷禁止状態を解除すると判定する。使用可能割合は、管理者等により設定変更可能になっている。
【００５６】
印刷禁止指示部６９は、電力管理部６８の判定結果が印刷禁止状態の設定である場合に、印刷システム５の各画像形成装置１０に対して印刷禁止状態に移行する指示を送信し、印刷の実行を禁止させる。
【００５７】
優先順位付与部７０は、印刷禁止状態を解除すると判定された場合に、印刷禁止状態の間に保留にされた印刷ジョブを有する画像形成装置１０を所定の基準で優先順位付けする。たとえば、保留しているジョブの数、消費電力の大小などに基づいて優先順位を付与する。
【００５８】
起動管理部７１は、優先順位付与部７０で付与された優先順位の高い画像形成装置１０から順に交代で起動して、保有にされている印刷ジョブに係る印刷を、その起動した画像形成装置１０に実行させる。
【００５９】
図４は、画像形成装置１０Ａの概略構成図を示す。画像形成装置１０Ｂ〜１０Ｅは、後処理装置を具備しない点を除き、画像形成装置１０Ａと基本的に同一構成（速度やサイズの相違はある）であり、それらの説明は省略する。
【００６０】
画像形成装置１０Ａは、当該画像形成装置１０Ａの動作を制御するＣＰＵ１１と、このＣＰＵ１１に接続されたＲＯＭ１２と、ＲＡＭ１３と、不揮発メモリ１４と、ハードディスク装置１５と、表示部１６と、操作部１７と、ネットワークＩ／Ｆ部１８と、画像読取部１９と、給紙部２０と、印刷部２１と、ＡＤＦ（Auto Documennt Feeder）２２と、後処理部２３とを備えて構成されている。
【００６１】
ＣＰＵ１１はＯＳプログラムをベースとし、その上で、ミドルウェアやアプリケーションプログラムなどが実行される。ＲＯＭ１２には各種のプログラムが格納されており、これらのプログラムに従ってＣＰＵ１１が処理を実行することでジョブの実行など画像形成装置１０Ａの各機能が実現される。ＲＡＭ１３はＣＰＵ１１がプログラムを実行する際に各種のデータを一時的に格納するワークメモリや画像データを格納する画像メモリなどとして使用される。
【００６２】
不揮発メモリ１４は、電源がオフにされても記憶が保持できる書き換え可能なメモリ（フラッシュメモリ）である。不揮発メモリ１４には、装置固有の情報や各種の設定情報などが記憶される。ハードディスク装置１５は、大容量の不揮発の記憶装置であり、ＯＳプログラムや各種アプリケーションプログラム、印刷データや画像データ、ジョブに係る情報履歴などが保存される。
【００６３】
表示部１６は、液晶ディスプレイなどで構成されており、各種の操作、設定に係る内容を表示する機能を果たす。操作部１７は、ユーザからのジョブの投入や設定の変更など、各種の操作を受け付ける機能を果たす。操作部１７は、表示部１６の画面上に設けられて押下された座標位置を検出するタッチパネルのほか、画面外にテンキーや文字入力キー、スタートキーなどを備えて構成される。
【００６４】
ネットワークＩ/Ｆ部１８は、ＬＡＮ３などのネットワークを通じて接続されている他の外部装置などと通信を行う。
【００６５】
画像読取部１９は、原稿を光学的に読み取って画像データを取得する機能を果たす。画像読取部１９は、たとえば、原稿台にセットした原稿に光を照射する光源と、その反射光を受けて原稿を幅方向に１ライン分読み取るラインイメージセンサと、ライン単位の読取位置を原稿の長さ方向に順次移動させる移動手段と、原稿からの反射光をラインイメージセンサに導いて結像させるレンズやミラーなどからなる光学経路、ラインイメージセンサの出力するアナログ画像信号をデジタルの画像データに変換する変換部などを備えて構成される。
【００６６】
給紙部２０は、印刷を行う際に用紙を自動的に印刷位置にセットする自動給紙機能を果たす。給紙トレイにセットしておいた単票用紙（記録紙）を連続で供給するカットシードフィーダや、単票用紙（記録紙）を１枚ずつ手差しで供給するシートガイド等で構成される。
【００６７】
印刷部２１は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置などを有し、電子写真プロセスによって画像形成を行う、所謂、レーザープリンタとして構成されている。画像形成は、インクジェット方式や、他の方式でもかまわない。
【００６８】
ＡＤＦ２２は、画像を読み取る際に、複数枚の原稿を連続して原稿台に送る自動給紙装置としての機能を果たす。これにより、一度に３０枚程度の原稿をセットすることが可能で、原稿を読み取るごとに原稿台にセットし直す必要がなくなる。
【００６９】
後処理部２３は、画像形成済みの記録紙に対して、ステープル、パンチ、紙折り、糊付け製本等の後処理を行う。実行される後処理の内容は、受信した印刷ジョブに基づいて行われる。
【００７０】
次に、電力管理サーバ６０及び画像形成装置１０で行われる処理の流れについて説明する。
【００７１】
図５は、印刷ジョブをＰＣ端末４０から受信したときの画像形成装置１０の動作を示している。画像形成装置１０は、印刷ジョブを受信すると（ステップＳ１０１）、印刷ジョブに係る印刷データをビットマップ形式のイメージデータに展開するＲＩＰ処理を行い、そのイメージデータを保存する（ステップＳ１０２）。次に、印刷禁止状態か否かを調べ（ステップＳ１０３）、印刷禁止状態でなければ（ステップＳ１０３；Ｎｏ）、ステップＳ１０２で保存したイメージデータを読み出し、対応する画像を記録紙に印刷して（ステップＳ１０４）処理を終了する。印刷禁止状態ならば（ステップＳ１０３；Ｙｅｓ）、保存したイメージデータを後に印刷出力するためのジョブである保留ジョブを生成し保存して（ステップＳ１０５）、処理を終了する。
【００７２】
図６は、電力管理サーバ６０から各種の指示を受信した場合の画像形成装置１０の動作を示す。電力管理サーバ６０から印刷禁止状態への移行指示を受信すると（ステップＳ２０１；Ｙｅｓ）、自装置の状態を印刷禁止状態へ移行させる（ステップＳ２０２）。印刷禁止状態では消費電力の極めて少ない省電力モードに移行する。省電力モードは、通信やＲＩＰ処理に係る部分は動作するが、印刷出力するための部分、たとえば定着装置など、への通電は停止され、消費電力の少ない状態となる。
【００７３】
電力管理サーバ６０から、印刷禁止状態の間に保留にしたジョブ（保留ジョブ）に関する情報の収集要求を受信した場合は（ステップＳ２０３；Ｙｅｓ）、保留ジョブに関する情報を電力管理サーバ６０へ送信する（ステップＳ２０４）。この情報は、各保留ジョブの内容、たとえば、ページ数、部数、印刷設定、後処理設定、ジョブのオーナー、対応する印刷ジョブを受信した時刻あるいは保留ジョブの生成された時刻、などを示す。
【００７４】
電力管理サーバ６０から保留ジョブの実行指示を受けたときは（ステップＳ２０５；Ｙｅｓ）、省電力モードから印刷出力の可能な通常状態へ復帰し、保留ジョブを順次実行して印刷出力を行う（ステップＳ２０６）。すべての保留ジョブの実行が完了すると、出力完了を電力管理サーバ６０へ通知し、その後、省電力モードへ再び移行する（ステップＳ２０７）。
【００７５】
電力管理サーバ６０から印刷禁止状態の解除指示を受けた場合は（ステップＳ２０８；Ｙｅｓ）、印刷禁止状態を解除する（ステップＳ２０９）。なお、印刷禁止状態を解除しても積極的には省電力モードを解除しない。印刷禁止状態が解除されている状態で印刷ジョブを受信したような場合に、通常状態に復帰するようになっている。
【００７６】
図７は、電力管理サーバ６０の動作を示す流れ図である。まず、予め決められた情報源より電力使用可能総量情報を取得する（ステップＳ３０１）。次に、取得した電力使用可能総量情報の示す電力使用可能総量に、設定された使用可能割合を乗じて、管轄範囲内での使用可能電力量を求める（ステップＳ３０２）。
【００７７】
次に、管轄範囲内の各種電気機器での電力使用量を測定し、集計する（ステップＳ３０３）。集計して得た電力使用量と使用可能電力量とを比較し（ステップＳ３０４）、電力使用量＞使用可能電力量であって現時点で印刷禁止状態が設定されていない場合は（ステップＳ３０４；Ｙｅｓ）、印刷禁止状態に設定すると判定し、各画像形成装置１０に対して印刷禁止状態への移行指示を出力する（ステップＳ３０５）。電力使用量＞使用可能電力量であっても既に印刷禁止状態が設定されている場合は移行指示の再出力は行わない。
【００７８】
電力使用量＞使用可能電力量でなく、かつ現時点で印刷禁止状態が設定されている場合は（ステップＳ３０４；Ｎｏ）、印刷禁止状態を解除すると判定して、以下の処理を行う。なお、電力使用量＞使用可能電力量であっても既に印刷禁止状態が解除されている場合には、以下の処理は行わない。
【００７９】
まず、各画像形成装置１０へ保留ジョブ情報の収集要求を送信して、その応答として各画像形成装置１０から保留ジョブ情報を受信し、収集する（ステップＳ３０６）。次に、複数台の画像形成装置１０の中で保留ジョブを蓄積している画像形成装置１０に優先順位を付与する（ステップＳ３０７）。そして、優先順位の高い画像形成装置１０から順に交代で起動して、保留ジョブに係る印刷を実行させる（ステップＳ３０８）。ただし、保留ジョブを蓄積していない画像形成装置１０は起動対象から除外し、起動しない。保留ジョブを蓄積していたすべての画像形成装置１０において保留ジョブの実行が完了したら、印刷禁止状態の解除指示を各画像形成装置１０へ送信して（ステップＳ３０９）、ステップＳ３０４へ戻る。
【００８０】
図８は、図７のステップＳ３０７（優先順位決定処理）の詳細を示している。まず、保留ジョブを蓄積している画像形成装置１０に対して、その蓄積している保留ジョブの状況に応じてポイントを与えるジョブポイント処理を行う（ステップＳ４０１）。なお、優先順位はポイントの大小に基づいて決定される。
【００８１】
次に、保留ジョブを蓄積している画像形成装置１０に対して、それぞれの電力消費に関する性能に基づいてポイントを付与するエンジンポイント処理を行う（ステップＳ４０２）。そして、保留ジョブを蓄積している画像形成装置１０別に、ジョブポイント処理で与えたポイント（ジョブポイント）とエンジンポイント処理で与えたポイント（エンジンポイント）の合計値を求め、合計値が多い画像形成装置１０ほど優先順位が高くなるようにして、それらの画像形成装置１０に優先順位を付与する（ステップＳ４０３）。
【００８２】
その後、保留ジョブを蓄積している画像形成装置１０の配置エリアに基づいて優先順位を補正して（ステップＳ４０４）、本処理を終了する（リターン）。なお、ステップＳ４０４を省略して、配置エリアを考慮しない構成としてもよい。
【００８３】
図９は、ジョブポイント処理（図８；ステップＳ４０１）の詳細を示している。この処理は、保留ジョブを蓄積している画像形成装置１０を対象に行われる。保留ジョブを蓄積している画像形成装置１０の中から、本処理が未処理の任意の１台を対象機に選択する（ステップＳ４２１）。次に、対象機の画像形成装置１０に蓄積されている保留ジョブの中で、以下の加点処理（ステップＳ４２３〜Ｓ４２７）が未処理の保留ジョブを１つ選択する（ステップＳ４２２）。
【００８４】
その選択した保留ジョブのページ数、部数など印刷量に応じたポイントを対象機のジョブポイントに加点する（ステップＳ４２３）。次に、この保留ジョブの受付からの経過時間（印刷待ち時間）に応じたポイントを対象機のジョブポイントに加点する（ステップＳ４２４）。
【００８５】
続いて、この保留ジョブの印刷条件に特殊機能が設定されている場合は、その特殊機能の種類に応じたポイントを対象機のジョブポイントに加点する（ステップＳ４２５）。特殊機能は、印刷システム５の管理下にある画像形成装置１０Ａ〜１０Ｅの中の一部の装置でしか実行できない機能であり、たとえば、画像形成装置１０Ａのみが有する後処理装置を必要とする機能などである。特殊機能に対するポイントは一律としてもよいが、その特殊機能を実行可能な画像形成装置１０の台数が少ないほど高いポイントを付与するようにしてもよい。
【００８６】
次に、この保留ジョブのオーナー（ジョブを投入したユーザ）に応じたポイントを対象機のジョブポイントに加点する（ステップＳ４２６）。たとえば、社長や重役など予め定められたユーザが保留ジョブのオーナーの場合に、ジョブポイントを加点する。なお、この項目に係る加点は、他の項目に係る加点よりも十分大きく設定される。
【００８７】
最後に、保留ジョブ単位の基本ポイントを対象機のジョブポイントに加点する（ステップＳ４２７）。これは、保留ジョブの数に応じた加点を行うためである。
【００８８】
以上のようにして１つの保留ジョブに対する加点処理が完了したら、対象機に蓄積されているすべての保留ジョブについて加点処理が完了したか否かを調べ（ステップＳ４２８）、未処理の保留ジョブがあれば（ステップＳ４２８；Ｎｏ）、ステップＳ４２２に戻って処理を継続する。
【００８９】
すべての保留ジョブについて加点処理が完了した場合は（ステップＳ４２８；Ｙｅｓ）、対象機の画像形成装置１０に与えたポイントの合計点をこの画像形成装置１０のジョブポイントとして登録する（ステップＳ４２９）。その後、保留ジョブを蓄積しているすべての画像形成装置１０に対して本処理が終了しているかを調べ（ステップＳ４３０）、未処理の画像形成装置１０があれば（ステップＳ４３０；Ｎｏ）、ステップＳ４２１に戻って処理を継続する。未処理の画像形成装置１０がなければ（ステップＳ４３０；Ｙｅｓ）、本処理を終了する。
【００９０】
図１０は、エンジンポイント処理（図８；ステップＳ４０２）の詳細を示している。この処理は、保留ジョブを蓄積している画像形成装置１０を対象に行われる。保留ジョブを蓄積している画像形成装置１０の中から、本処理が未処理の任意の１台を対象機に選択する（ステップＳ４４１）。
【００９１】
次に、対象機の画像形成装置１０を省電力モードから印刷可能な通常状態へ立ち上げるために必要な消費電力の大小に応じたポイントを対象機のエンジンポイントに加点する（ステップＳ４４２）。ここでは、消費電力が小さいほど、大きいポイントが加点される。
【００９２】
対象機の画像形成装置１０で所定サイズ（たとえば、Ａ４）の記録紙１枚に印刷するために必要な消費電力の大小に応じたポイントを対象機のエンジンポイントに加点する（ステップＳ４４３）。ここでは、消費電力が小さいほど、大きいポイントが加点される。
【００９３】
続いて、対象機の画像形成装置１０に後処理装置が接続されているか否かを調べ（ステップＳ４４４）、後処理装置が接続されていなければ（ステップＳ４４４；Ｎｏ）、所定のポイントを対象機のエンジンポイントに加点して（ステップＳ４４５）、ステップＳ４４７へ移行する。一方、後処理装置が接続されている場合は（ステップＳ４４４；Ｙｅｓ）、その後処理装置の消費電力（たとえば、定格消費電力）の大小に応じたポイントを対象機のエンジンポイントから減点して（ステップＳ４４６）、ステップＳ４４７へ移行する。ここでは、消費電力が大きいほど、大きいポイントが減点される。
【００９４】
ステップＳ４４７では、対象機の画像形成装置１０に与えたエンジンポイントの合計点をこの画像形成装置１０のエンジンポイントとして登録する。その後、保留ジョブを蓄積しているすべての画像形成装置１０に対して本処理が終了しているかを調べ（ステップＳ４４８）、未処理の画像形成装置１０があれば（ステップＳ４４８；Ｎｏ）、ステップＳ４４１に戻って処理を継続する。未処理の画像形成装置１０がなければ（ステップＳ４４８；Ｙｅｓ）、本処理を終了する。
【００９５】
次に、配置エリアによる優先順位の補正について説明する。
【００９６】
印刷システム５に属する複数の画像形成装置１０は、たとえば、広いオフィスなどの管轄範囲に分散して配置される。管轄範囲は複数の配置エリアに分割して管理されており、各画像形成装置１０の設置されている配置エリアは予め電力管理サーバ６０に登録されている。
【００９７】
図１１は、広いオフィス８０における配置エリアおよび複数台の画像形成装置１０の配置例を示している。なお、配置の説明において複数台の画像形成装置１０を区別するためにａ〜ｆの符号を与えている。図１１の例では、エリア１に画像形成装置ｃ、エリア２に画像形成装置ｂとｅとｆ、エリア３に画像形成装置ａ、エリア４に画像形成装置ｄが配置されている。
【００９８】
優先順位補正処理では、ジョブポイントおよびエンジンポイントに基づいて決定された優先順位の連続している画像形成装置１０が同じ配置エリアに設置されている場合に、優先順位を補正する。
【００９９】
図１２（ａ）は、補正前の優先順位に従って、画像形成装置ａ〜ｆとそれぞれの配置エリアを登録した優先順位リストの例を示している。印刷禁止状態を解除する際に、図１２（ａ）の優先順位リスト８２に登録されている順に、交代で画像形成装置を起動すると、最初に、配置エリア２に設置されている優先順位（１）の画像形成装置ｂが起動され、この画像形成装置ｂに蓄積されているすべての保留ジョブに係る印刷が実行される。これに続いて、同じ配置エリア２に設置されている優先順位（２）の画像形成装置ｅが起動され、これに蓄積されているすべての保留ジョブに係る印刷が実行され、さらに、その次も、同じ配置エリア２に設置されている優先順位（３）の画像形成装置ｆが起動されて保留ジョブに係る印刷が実行される。
【０１００】
このように同じ配置エリアに設置されている画像形成装置が連続して起動されると、配置エリアの観点からは、起動される画像形成装置に偏りが生じてしまい、他の配置エリアに設置された画像形成装置へ印刷ジョブを投入したユーザは長く待たされてしまう。
【０１０１】
そこで、優先順位補正処理では、同じ配置エリアの画像形成装置１０が連続して起動されないように、優先順位を入れ替えて補正する。ここでは、優先順位Ｎの画像形成装置と優先順位Ｎ＋１の画像形成装置の配置エリアが同一の場合に、優先順位Ｎの画像形成装置と異なる配置エリアに設置されている画像形成装置の中で最も優先順位の高いもの（ただし優先順位Ｎ＋１以下）を選択し、これを優先順位Ｎ＋１の位置に移動させて挿入する。
【０１０２】
図１１、図１２の例では、まず、配置エリア３にある優先順位（４）の画像形成装置ａを優先順位（２）の位置に移動させて挿入する（図１２（ａ）→（ｂ））。この補正を行った後の図１２（ｂ）においても、まだ優先順位（３）の画像形成装置ｅとその次の優先順位（４）の画像形成装置ｆとが同じ配置エリア２なので、さらに優先順位の入れ替えを行う。すなわち、配置エリア４にある優先順位（５）の画像形成装置ｄを優先順位（４）の位置に移動させて挿入する（図１２（ｂ）→（ｃ））。
【０１０３】
図１２（ｃ）に示す補正後の優先順位リストに従って画像形成装置ａ〜ｆを交代で起動すれば、起動される画像形成装置の配置エリアは、２→３→２→４→２→１、のように遷移し、同じ配置エリアにある画像形成装置が続いて起動されることが防止される。
【０１０４】
図１３は、優先順位補正処理（図８；ステップＳ４０４）の詳細を示している。まず、保留ジョブが蓄積されている画像形成装置１０を特定し（ステップＳ４６１）、それらの優先順位リスト（ジョブポイントおよびエンジンポイントに基づいて決定された優先順位に対応した優先順位リスト）を作成する（ステップＳ４６２）。次に、Ｎ＝１に初期化する（ステップＳ４６３）。
【０１０５】
優先順位リストにおいて、優先順位Ｎと優先順位Ｎ＋１の画像形成装置１０の配置エリアを比較する（ステップＳ４６４）。これらの配置エリアが異なれば（ステップＳ４６４；Ｎｏ）、ステップＳ４６６へ移行する。優先順位Ｎと優先順位Ｎ＋１の画像形成装置１０の配置エリアが同じならば（ステップＳ４６４；Ｙｅｓ）、これらとは異なる配置エリアにある画像形成装置１０の中で優先順位の最も高い画像形成装置１０（ただし、優先順位Ｎ＋１より下）を選定し、これを優先順位リスト上で優先順位Ｎ＋１の位置へ移動させて挿入し（ステップＳ４６５）、ステップＳ４６６へ移行する。
【０１０６】
ステップＳ４６６では、Ｎを「＋１」する。そして、優先順位リストの末尾まで配置エリアの比較が完了したか否かを調べ（ステップＳ４６７）、未完了ならば（ステップＳ４６７；Ｎｏ）、ステップＳ４６４に戻って処理を継続する。完了ならば（ステップＳ４６７；Ｙｅｓ）、優先順位リストを確定して（ステップＳ４６８）、本処理を終了する。
【０１０７】
以上のように、本実施の形態に係る印刷システム５では、管轄範囲内の電気機器による合計の電力使用量が、この管轄範囲内に対して許容された電力使用可能総量に設定値を乗じて得た使用可能電力量を越える場合に、当該印刷システム５が管理する全ての画像形成装置１０での印刷出力を自動的に禁止するので、ユーザが、電力使用のピーク時を調べ、該当する期間に印刷を止めるといった管理や操作を行う必要がなく、電力使用量の管理者等の手間を軽減することができる。
【０１０８】
また、電力使用のピークの時間帯を外れた場合に、一度に全ての画像形成装置１０を起動して保留ジョブを実行させると、再び電力不足に陥る可能性があるが、本実施の形態に係る印刷システム５では、画像形成装置を交代で起動して保留ジョブを実行させるので、そのような事態を回避することができる。
【０１０９】
また、印刷ジョブおよびエンジンの消費電力に関する性能などに基づいて優先順位を付与し、優先順位の高い順に画像形成装置を交代で起動するので、より適切な順に画像形成装置を起動することができる。さらに、配置エリアを考慮して優先順位を補正することで、エリア的にも偏りを抑えた順序で画像形成装置を起動することができる。
【０１１０】
また、保留ジョブを蓄積していない画像形成装置は起動されないので、無駄な起動が防止される。
【０１１１】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１１２】
本発明の実施の形態では、優先順位に従って１台ずつ画像形成装置１０を交代で起動する例を示したが、複数台の画像形成装置１０を同時に稼動させても電力使用量が使用可能電力量（許容値）を超えない場合は、優先順位に従って複数台を起動するようにしてもよい。たとえば、優先順位従って次に起動する画像形成装置が消費電力の少ない小型のものであり、その次の優先順位の画像形成装置も小型であってこれをさらに起動しても、電力使用量が使用可能電力量（許容値）内ならば、これら２台の画像形成装置を一度に起動する、というように制御してもよい。
【０１１３】
実施の形態では、印刷禁止状態の間に受信した印刷ジョブについてＲＩＰ処理まで行うようにしたが、ＲＩＰ処理を行わず、受信した印刷ジョブをそのまま保存して保留するようにしてもよい。
【０１１４】
また、電力管理サーバ６０は、今回起動して保留ジョブを実行させる画像形成装置（第１の画像形成装置とする）において、優先順位が次の画像形成装置（第２の画像形成装置とする）に蓄積されているすべての保留ジョブを実行可能な場合（たとえば、必要な後処理をすべて実行できる場合）は、第２の画像形成装置に蓄積されている保留ジョブをすべて第１の画像形成装置へ転送させ、これら転送した保留ジョブを第１の画像形成装置に実行させて第２の画像形成装置を起動しないように制御してもよい。
【０１１５】
実施の形態では、各画像形成装置１０でＲＩＰ処理を行って保留ジョブを蓄積するようにしたが、出力先の画像形成装置が指定された印刷ジョブの受け付け、ＲＩＰ処理、保留ジョブの蓄積などはネットワーク上のプリントサーバが行うように構成されてもよい。電力管理サーバ６０は、印刷禁止状態を解除する際に、プリントサーバに蓄積されている保留ジョブの情報に基づいて、保留ジョブの出力先に指定されている画像形成装置に優先順位を付与し、これらを交代で順に起動して保留ジョブに係る印刷を実行させるようにしてもよい。さらには、プリントサーバの機能を電力管理サーバ６０が具備するように構成されてもよい。
【０１１６】
電力管理サーバ６０の機能は、いずれか１台の画像形成装置１０に組み込まれてもよい。
【０１１７】
管轄範囲の電力使用機器は、たとえば、照明や、エアコン、床暖房等、電力会社から供給される電力を使用して稼動するものであればよい。電力管理サーバ６０は、それらの全ての機器の電力使用量を測定・管理してもよいし、消費電力の多いものだけを選択して電力使用量を測定・管理してもよい。
【０１１８】
所定の情報源は、本発明の実施の形態で説明したものに限らない。また、取得する情報は、電力使用可能総量情報のみに限らず、他の情報も同時に取得してもよい。たとえば、電力使用可能総量情報の他にも、印刷システム５が設置されている領域以外の領域での電力使用情報や、過去の電力使用情報等を取得し、それらの情報も参照して使用可能電力量を決定してもよい。
【０１１９】
実施の形態では、印刷禁止状態において画像形成装置１０を省電力モードへ移行させたが、電力モードは通常状態としておき、単に印刷の実行を禁止するようにしてもよい。
【符号の説明】
【０１２０】
３…ＬＡＮ
５…印刷システム
１０、１０Ａ〜１０Ｅ、ａ〜ｆ…画像形成装置
１１…ＣＰＵ
１２…ＲＯＭ
１３…ＲＡＭ
１４…不揮発メモリ
１５…ハードディスク装置
１６…表示部
１７…操作部
１８…ネットワークＩ／Ｆ部
１９…画像読取部
２０…給紙部
２１…印刷部
２２…ＡＤＦ
２３…後処理部
４０…ＰＣ端末
４１…ＣＰＵ
４２…ＲＯＭ
４３…ＲＡＭ
４４…不揮発メモリ
４５…ハードディスク装置
４６…表示部
４７…操作部
４８…ネットワークＩ／Ｆ部
６０…電力管理サーバ
６１…制御部
６２…ＲＯＭ
６３…ＲＡＭ
６４…記憶部
６５…ネットワークＩ／Ｆ部
６６…電力使用可能総量情報取得部
６７…使用電力量測定部
６８…電力管理部
６９…印刷禁止指示部
７０…優先順位付与部
７１…起動管理部
８０…オフィス
８２…優先順位リスト
【図１】
2014085825.tif 000003
【図２】
2014085825.tif 000004
【図３】
2014085825.tif 000005
【図４】
2014085825.tif 000006
【図５】
2014085825.tif 000007
【図６】
2014085825.tif 000008
【図７】
2014085825.tif 000009
【図８】
2014085825.tif 000010
【図９】
2014085825.tif 000011
【図１０】
2014085825.tif 000012
【図１１】
2014085825.tif 000013
【図１３】
2014085825.tif 000014
【図１２】
2014085825.tif 000015